(57)【要約】【課題】装置の増大などを極力抑えながらも、双方の負荷に対して適切な電力供給を行うことが容易となるチョッパレギュレータ回路の提供を目的とする。【解決手段】第１負荷または第２負荷に対する電力出力部と、第１負荷への出力を検出する第１出力検出部と、第２負荷への出力を検出する第２出力検出部と、第１および第２の基準電圧生成部と、２つの入力電圧の比較結果に基づき、電力出力量を制御する出力制御部と、第１負荷と第２負荷の何れに電力を供給するかの切替、および、前記入力電圧の切替を制御する切替制御部と、を備え、該入力電圧の切替は、第１負荷に電力供給するときは、第１出力検出部での検出電圧と第１基準電圧生成部での基準電圧を、入力電圧とする一方、第２負荷に電力供給するときは、第２出力検出部での検出電圧と第２基準電圧生成部での基準電圧を、入力電圧とするチョッパレギュレータ回路とする。【選択図】図１
2008160933.tif 000002
【特許請求の範囲】
【請求項１】
第１負荷および第２負荷が接続され、これらの負荷に電力を供給するチョッパレギュレータ回路であって、
前記第１負荷と第２負荷に電力を出力する電力出力部と、
前記第１負荷に出力される電圧または電流を、検出電圧として検出する第１出力検出部と、
前記第２負荷に出力される電圧または電流を、検出電圧として検出する第２出力検出部と、
各々、所定の基準電圧を生成させる、第１基準電圧生成部および第２基準電圧生成部と、
２つの入力電圧を比較し、該比較結果に基づいて、前記電力出力部における電力の出力量を制御する出力制御部と、
前記第１負荷と第２負荷の何れに前記電力を供給するかの切替である負荷切替、および、前記入力電圧の切替である入力切替を制御する切替制御部と、を備え、
該入力切替は、
前記第１負荷に前記電力が供給されるよう負荷切替を行うときは、前記第１出力検出部で検出された検出電圧と、前記第１基準電圧生成部で生成された基準電圧を、前記入力電圧とする一方、
前記第２負荷に前記電力が供給されるよう負荷切替を行うときは、前記第２出力検出部で検出された検出電圧と、前記第２基準電圧生成部で生成された基準電圧を、前記入力電圧とするものであることを特徴とするチョッパレギュレータ回路。
【請求項２】
前記第１出力検出部は、
前記第１負荷に出力される電流を、前記検出電圧として検出することを特徴とする請求項１に記載のチョッパレギュレータ回路。
【請求項３】
前記第２出力検出部は、
前記第２負荷に出力される電圧を、前記検出電圧として検出することを特徴とする請求項１または請求項２に記載のチョッパレギュレータ回路。
【請求項４】
前記第１出力検出部は、
前記第１負荷に出力される電流を、前記検出電圧として検出し、
前記第２出力検出部は、
前記第２負荷に出力される電圧を、前記検出電圧として検出し、
前記第１基準電圧生成部で生成される基準電圧は、前記第２基準電圧生成部で生成される基準電圧よりも小さいことを特徴とする請求項１に記載のチョッパレギュレータ回路。
【請求項５】
前記切替制御部は、
前記負荷切替を実行する際に、
これに先立って、前記入力切替を実行することを特徴とする請求項１に記載のチョッパレギュレータ回路。
【請求項６】
前記第１基準電圧生成部および第２基準電圧生成部は、所定の電圧源を共用しており、
少なくとも一方の基準電圧生成部は、該電圧源が発生させる電圧を分圧することにより、前記基準電圧を生成するものであることを特徴とする請求項１に記載のチョッパレギュレータ回路。
【請求項７】
同期整流方式を採用したことを特徴とする請求項１に記載のチョッパレギュレータ回路。
【請求項８】
前記切替制御部は、
外部から入力される信号に基づいて、前記負荷切替および入力切替を制御することを特徴とする請求項１に記載のチョッパレギュレータ回路。
【請求項９】
前記切替制御部は、
前記負荷切替を実行するにあたり、
該切替前の負荷に係る出力電圧が所定値以下となっていることを検出した後に、該負荷切替を実行することを特徴とする請求項１に記載のチョッパレギュレータ回路。
【請求項１０】
前記第１負荷または第２負荷への電力の出力経路と、接地点との、接続／非接続を切替可能とする接地スイッチを備えたことを特徴とする請求項１に記載のチョッパレギュレータ回路。
【請求項１１】
前記外部から入力される信号に基づいて、前記第１負荷と第２負荷の何れにも前記電力が供給されない状態とする供給停止手段を備えたことを特徴とする請求項８に記載のチョッパレギュレータ回路。
【請求項１２】
前記供給停止手段は、
前記第１負荷と第２負荷の何れにも前記電力が供給されない状態とするときには、前記出力制御部に対する駆動電力の供給を停止することを特徴とする請求項１１に記載のチョッパレギュレータ回路。
【請求項１３】
前記第１負荷または第２負荷に出力される電圧または電流が、所定値以上であるか否かを判断する異常出力検出部を備え、
該判断結果に基づいて、前記電力供給を停止させることを特徴とする請求項１に記載のチョッパレギュレータ回路。
【請求項１４】
温度センサを有し、該温度センサによる検出温度が所定値以上であるか否かを判断する過熱検出部を備え、
該判断結果に基づいて、前記電力供給を停止させることを特徴とする請求項１に記載のチョッパレギュレータ回路。
【請求項１５】
前記第１負荷としてＬＥＤが接続されるとともに、前記第２負荷として有機ＥＬが接続され、
該ＬＥＤおよび該有機ＥＬに電力を供給することを特徴とする請求項１から請求項１４の何れかに記載のチョッパレギュレータ回路。
【請求項１６】
請求項１から請求項１５の何れかに記載のチョッパレギュレータ回路を備えたことを特徴とする電子機器。
【発明の詳細な説明】
【技術分野】
【０００１】
本発明は、複数の電気的負荷に電力を供給する、チョッパレギュレータ回路に関する。
【背景技術】
【０００２】
携帯電話、携帯端末等の液晶表示部のバックライト等においては、一般的に白色ＬＥＤが使用されており、この白色ＬＥＤの駆動用として、昇圧チョッパレギュレータが多く採用されている。また近年では、表示部に、バックライトの設置が不要な有機ＥＬが使用されはじめており、表示部を薄くすることが可能となっている。
【０００３】
前記の白色ＬＥＤにおいては、順方向電圧が約４Ｖ程度と大きく、また個々の順方向電圧のばらつきが大きくなり易いが、液晶表示における品位向上のためバックライトの輝度ばらつきをなくすことが要求される。携帯機器においてはリチウムイオン等のバッテリ入力が主流であり、個々のＬＥＤの明るさを一定にするため、各ＬＥＤに流す電流を同じにするべく、直列接続による昇圧チョッパレギュレータ駆動方式が多く使われる。一方、有機ＥＬにおいては、白色ＬＥＤの定電流駆動とは異なり、定電圧駆動を必要とする。
ここで従来の昇圧チョッパレギュレータの一例について、図１３を参照しながら説明する。
【０００４】
本図に示す昇圧チョッパ型レギュレータは、ＮＰＮトランジスタからなる出力スイッチングトランジスタ１４、制御回路１２、制御回路１２へ電圧を供給する定電圧回路１３等から構成されている。また制御回路１２は、ドライブ回路１５、ＰＷＭコンパレータ１６、発振回路１７、誤差増幅器１８、および基準電圧源２０等を備えている。
【０００５】
このような構成において負荷であるＬＥＤ群６を駆動する場合、スイッチ２１、２２をＯＮさせて、ＬＥＤ６に流れる電流（Ｉｏ）が抵抗７により生じた電圧（ＶＦＢ）と、基準電圧源２０による基準電圧とを、誤差増幅器１８により誤差増幅させる。そして図１４に示すように、その誤差増幅器１８の出力（Ａ）と発振回路１７から出力される三角波発振波形（Ｂ）とを、ＰＷＭコンパレータ１６によりパルス幅変調し、その変調された信号により、ドライブ回路１５を介して出力スイッチングトランジスタ１４を制御する。
【０００６】
出力トランジスタ１４がＯＮの時は、コイル３、出力スイッチングトランジスタ１４へと電流が流れることで、コイル３にエネルギーが蓄えられ、この期間では出力コンデンサ５からＬＥＤ群６へ電流が供給される。一方、出力スイッチングトランジスタ１４がＯＦＦの時は、コイル３に蓄えられていたエネルギーにより、入力電圧が昇圧され、出力コンデンサ５を充電すると共にＬＥＤ群６へ電流を供給する。
【０００７】
またＬＥＤ群６に流れる電流（Ｉｏ）は、基準電圧源２０の電圧（ＶＲＥＦ）と抵抗７での抵抗値Ｒ７によって、次式のように表される。
Ｉｏ＝ＶＲＥＦ/Ｒ７
例えば、ＶＲＥＦが0.1ＶでＬＥＤ群６に流れる電流（Ｉｏ）を２０mAに設定する場合においては、抵抗Ｒ７の値は、0.1Ｖ/20mA＝5Ωとなる。
【０００８】
ＬＥＤの輝度ばらつきは、基準電圧源２０の電圧（ＶＲＥＦ）のばらつきに影響され、チップの製造プロセス等からＶＲＥＦの高い方が、ばらつきの度合は小さくなる。しかしＶＲＥＦが高いほど、抵抗Ｒ７での電力損失が大きくなる。そのため携帯機器等のバッテリ機器においては、バッテリの寿命に与える影響を小さくするために、ＶＲＥＦは低く設定される。なお抵抗７での電力損失は、次式で表される。
（抵抗7での電力損失）＝ＶＲＥＦ×Ｉｏ  （Ｗ）
【０００９】
また、有機ＥＬ１１を駆動させる場合においては、スイッチ２１、２２がＯＦＦし、スイッチ２３がＯＮ状態となるように切り替わる。そして、抵抗８、９によって分圧された出力電圧がＦＢ端子に入力され、この電圧と基準電圧源２０での基準電圧とが、誤差増幅器１８により誤差増幅される。
【００１０】
そして、図１４に示すように、誤差増幅器１８の出力（Ａ）と発振回路１７から出力される三角波発振波形（Ｂ）とが、ＰＷＭコンパレータ１６によりパルス幅変調され、その変調された信号によりドライブ回路１５を介して出力スイッチングトランジスタ１４を制御し、出力電圧を一定に保つ。また有機ＥＬ１１を駆動させる電圧においては１５〜１６Ｖ程度で、高精度が要求される。
【特許文献１】特開２００５−２９５６３０号公報
【特許文献２】特開２００６−２１１７４７号公報
【発明の開示】
【発明が解決しようとする課題】
【００１１】
上述したような従来のチョッパレギュレータでは、ＬＥＤ群と有機ＥＬの双方の負荷に供給される電力はほぼ同程度となる。そのため、例えばこれらの負荷の間で、適切に発光させるために必要な電力に差がある場合、双方ともに適切に発光させることが難しくなるおそれがある。また、有機ＥＬに係る駆動電圧のバラツキが大きくなることもある。
【００１２】
ここで双方の負荷ごとに別個にチョッパレギュレータの回路を備えるようにし、各負荷に最適な電力が供給されるよう構成することも考えられる。しかし、例えば電源やドライブ回路などの装置をも負荷ごとに別個に設けるものとすれば、装置の増大を招くこととなり、ひいては、機器の小型化や低廉化を妨げる要因となる。
【００１３】
そこで本発明は上記の問題点に鑑み、装置の増大などを極力抑えながらも、双方の負荷に対して適切な電力供給を行うことが容易となるチョッパレギュレータ回路の提供を目的とする。
【課題を解決するための手段】
【００１４】
上記目的を達成するため本発明に係るチョッパレギュレータ回路は、第１負荷および第２負荷が接続され、これらの負荷に電力を供給するチョッパレギュレータ回路であって、前記第１負荷と第２負荷に電力を出力する電力出力部と、前記第１負荷に出力される電圧または電流を、検出電圧として検出する第１出力検出部と、前記第２負荷に出力される電圧または電流を、検出電圧として検出する第２出力検出部と、各々、所定の基準電圧を生成させる、第１基準電圧生成部および第２基準電圧生成部と、２つの入力電圧を比較し、該比較結果に基づいて、前記電力出力部における電力の出力量を制御する出力制御部と、前記第１負荷と第２負荷の何れに前記電力を供給するかの切替である負荷切替、および、前記入力電圧の切替である入力切替を制御する切替制御部と、を備え、該入力切替は、前記第１負荷に前記電力が供給されるよう負荷切替を行うときは、前記第１出力検出部で検出された検出電圧と、前記第１基準電圧生成部で生成された基準電圧を、前記入力電圧とする一方、前記第２負荷に前記電力が供給されるよう負荷切替を行うときは、前記第２出力検出部で検出された検出電圧と、前記第２基準電圧生成部で生成された基準電圧を、前記入力電圧とするものである構成（第１の構成）とする。
【００１５】
本構成によれば、第１負荷に電力を供給する場合に用いられる基準電圧生成部と、第２負荷に電力を供給する場合に用いられる基準電圧生成部を、別個に備えており、切替制御部によって、適切なもの（電力を供給する負荷に対応するもの）が選ばれることとなる。そのため何れの負荷に対しても、適切な電力を供給することが容易となる。
【００１６】
また電力を供給すべき負荷を変更する場合は、切替制御部により、基準電圧生成部を切替えることにより対応する。そのため、チョッパレギュレータ回路におけるドライブ回路や電源などを、何れの負荷に電力を供給する場合にも共用させることができ、ひいては、装置の増大などを極力抑えることが可能となる。
【００１７】
また上記第１の構成において、前記第１出力検出部は、前記第１負荷に出力される電流を、前記検出電圧として検出する構成（第２の構成）としてもよい。また上記第１または第２の構成において、前記第２出力検出部は、前記第２負荷に出力される電圧を、前記検出電圧として検出する構成（第３の構成）としてもよい。
【００１８】
また上記第１の構成において、前記第１出力検出部は、前記第１負荷に出力される電流を、前記検出電圧として検出し、前記第２出力検出部は、前記第２負荷に出力される電圧を、前記検出電圧として検出し、前記第１基準電圧生成部で生成される基準電圧は、前記第２基準電圧生成部で生成される基準電圧よりも小さい構成（第４の構成）としてもよい。
【００１９】
また上記第１の構成において、前記切替制御部は、前記負荷切替を実行する際に、これに先立って、前記入力切替を実行する構成（第５の構成）としてもよい。本構成によれば、入力切替がなされる前に負荷切替がなされることを防止することができる。そのため、切替後の負荷に電力を供給する準備が整う前に、負荷切替がなされてしまう事態を、極力防ぐことが可能となる。
【００２０】
また上記第１の構成において、前記第１基準電圧生成部および第２基準電圧生成部は、所定の電圧源を共用しており、少なくとも一方の基準電圧生成部は、該電圧源が発生させる電圧を分圧することにより、前記基準電圧を生成するものである構成（第６の構成）としてもよい。
【００２１】
本構成によれば、各電圧生成部において、電圧源を共用しつつ、互いに異なる電圧を出力することが可能となる。そのため、電圧生成部ごとに電圧源を別個に設けるものに比べて、装置の増大を抑えることが容易となる。
【００２２】
また上記第１の構成において、同期整流方式を採用した構成（第７の構成）としてもよい。本構成によれば、ダイオード整流方式などに比べて、電力損失を低減させることが可能となる。
【００２３】
また上記第１の構成において、前記切替制御部は、外部から入力される信号に基づいて、前記負荷切替および入力切替を制御する構成（第８の構成）としてもよい。本構成によれば、状況に応じた適切な信号を外部から入力することで、ニーズに沿った負荷切替および入力切替を実現することが可能となる。
【００２４】
また上記第１の構成において、前記切替制御部は、前記負荷切替を実行するにあたり、該切替前の負荷に係る出力電圧が所定値以下となっていることを検出した後に、該負荷切替を実行する構成（第９の構成）としてもよい。
【００２５】
本構成によれば、負荷切替前の負荷に係る出力電圧が所定値以下となってから、負荷切替を実行するから、双方の負荷に同時に電力が供給される事態を、容易に回避することが可能となる。なお「切替前の負荷」とは、当該負荷切替がなされる前に電力供給の対象となっていた負荷のことである。
【００２６】
また上記第１の構成において、前記第１負荷または第２負荷への電力の出力経路と、接地点との、接続／非接続を切替可能とする接地スイッチを備えた構成（第１０の構成）としてもよい。
【００２７】
本構成によれば、例えば負荷切替の際に、接地スイッチを通じて切替前の負荷への電力出力経路を接地させることにより、放電を促進させて、出力電圧をより素早く低下させることが可能となる。
【００２８】
また上記第８の構成において、前記外部から入力される信号に基づいて、前記第１負荷と第２負荷の何れにも前記電力が供給されない状態とする供給停止手段を備えた構成（第１１の構成）としてもよい。
【００２９】
本構成によれば、前記第１負荷と第２負荷の何れにも電力供給がなされない状態にしようとする場合、外部から信号を入力することにより、この状態を実現することが可能となる。
【００３０】
また上記第１１の構成において、前記供給停止手段は、前記第１負荷と第２負荷の何れにも前記電力が供給されない状態とするときには、前記出力制御部に対する駆動電力の供給を停止する構成（第１２の構成）としてもよい。
【００３１】
本構成によれば、１負荷と第２負荷の何れにも前記電力が供給されない状態においても出力制御部に駆動電力が供給されることによる無駄を、極力排除することが可能となる。
【００３２】
また上記第１の構成において、前記第１負荷または第２負荷に出力される電圧または電流が、所定値以上であるか否かを判断する異常出力検出部を備え、該判断結果に基づいて、前記電力供給を停止させる構成（第１３の構成）としてもよい。
【００３３】
本構成によれば、何らかの原因により、負荷に過剰な電力が出力される事態となっても、かかる事態が検知されて電力供給が停止するから、機器の損傷などを極力回避することが可能となる。
【００３４】
また上記第１の構成において、温度センサを有し、該温度センサによる検出温度が所定値以上であるか否かを判断する過熱検出部を備え、該判断結果に基づいて、前記電力供給を停止させる構成（第１４の構成）としてもよい。
【００３５】
本構成によれば、何らかの原因により、回路内あるいは回路近傍の温度が異常に上昇する事態となっても、かかる事態が検知されて電力供給が停止するから、機器の損傷などを極力回避することが可能となる。
【００３６】
また上記第１から第１４の何れかの構成として、前記第１負荷としてＬＥＤが接続されるとともに、前記第２負荷として有機ＥＬが接続され、該ＬＥＤおよび該有機ＥＬに電力を供給する構成（第１５の構成）としてもよい。
【００３７】
また上記第１から第１５の何れかの構成に係るチョッパレギュレータ回路を備えた構成（第１６の構成）の電子機器とすれば、上記の構成に係る利点を享受しうる電子機器を実現することが可能となる。
【発明の効果】
【００３８】
上述した通り、本発明に係るチョッパレギュレータ回路によれば、第１負荷に電力を供給する場合に用いられる基準電圧生成部と、第２負荷に電力を供給する場合に用いられる基準電圧生成部を、別個に備えており、切替制御部によって、適切なもの（電力を供給する負荷に対応するもの）が選ばれることとなる。そのため何れの負荷に対しても、適切な電力を供給することが容易となる。
【００３９】
また電力を供給すべき負荷を変更する場合は、切替制御部により、基準電圧生成部を切替えることにより対応する。そのため、チョッパレギュレータ回路におけるドライブ回路や電源などを、何れの負荷に電力を供給する場合にも共用させることができ、ひいては、装置の増大などを極力抑えることが可能となる。
【発明を実施するための最良の形態】
【００４０】
以下、本発明の実施形態について、実施例１から実施例１１の各々を挙げて説明する。
【００４１】
［実施例１］
本発明の実施例１として、接続されているＬＥＤ群（１個のＬＥＤ、もしくは複数のＬＥＤが直列に接続されているもの）および有機ＥＬに選択的に電力を供給する、チョッパレギュレータ式の電源回路を挙げて説明する。本電源回路の構成図を、図１に示す。
【００４２】
図１に示すように電源回路は、直流電源１、入力コンデンサ２、コイル３、第１ダイオード４ａ、第２ダイオード４ｂ、第１出力コンデンサ５、抵抗素子７〜９、第２出力コンデンサ１０、およびチョッパレギュレータＩＣ３１などを備えている。これにより、ＬＥＤ群６と有機ＥＬ１１に、電力を供給する。
【００４３】
直流電源１の負極端子は接地されている一方、正極端子は、入力コンデンサ２の一端とコイル３の一端に接続されている。また入力コンデンサ２の他端側は接地されている。またダイオード４ａのカソード側は、第１出力コンデンサ５の一端と、ＬＥＤ群６の上流側に接続されている。第１出力コンデンサの他端は、接地されている。そしてＬＥＤ群６の下流側は、抵抗７を介して接地されている。
【００４４】
さらにダイオード４ｂのカソード側は、抵抗８の上流側、第２出力コンデンサ１０の一端、および有機ＥＬ１１の上流側に接続されている。また抵抗８の下流側は、抵抗９を介して接地され、第２出力コンデンサ１０の他端および有機ＥＬの下流側も接地されている。
【００４５】
またチョッパレギュレータＩＣ３１は、ＮＰＮトランジスタからなる出力スイッチングトランジスタ１４、制御回路１２、および制御回路１２へ電圧を供給する定電圧回路１３等から構成されている。また制御回路１２は、ドライブ回路１５、ＰＷＭコンパレータ１６、発振回路１７、誤差増幅器１８、基準電圧回路１９、切替制御部２１、第１スイッチ２２ａ、および第２スイッチ２２ｂ等を備えている。なお出力スイッチングトランジスタ１４は、ＮチャンネルＦＥＴ等に代替してもよい。
【００４６】
定電圧回路１３は、直流電源１とコイル３の間から電力を取り出し、定電圧化して、制御回路１２に動作電力として供給する。出力スイッチングトランジスタ１４は、コレクタがコイル３の下流側に接続され、エミッタが接地されている。
【００４７】
第２スイッチ２２ｂは、ＬＥＤ群６と抵抗７との間における電圧、もしくは、抵抗８および９により分圧された電圧を、誤差増幅器１８の非反転入力端子に入力させる。またＰＷＭコンパレータ１６は、誤差増幅器１８の出力と発振回路１７の出力とを比較し、これに応じた信号をドライブ回路１５に出力する。
【００４８】
ドライブ回路１５は、ＰＷＭコンパレータ１６から入力される信号に基づいて、出力スイッチングトランジスタ１４を制御する。また第１スイッチ２２ａは、コイル３の下流側を、第１ダイオード４ａと第２ダイオード４ｂの何れか一方のアノード側に接続する。また基準電圧回路１９は、基準電圧ＶＲＥＦ１を生成する第１基準電圧源２０ａ、基準電圧ＶＲＥＦ２を生成する第２基準電圧源２０ｂ、およびこれらの何れか一方の電圧を誤差増幅器１８の反転入力端子に供給する第３スイッチ２２ｃを備えている。
【００４９】
また切替制御部２１は、各スイッチ（２２ａ〜２２ｃ）に切替信号を出力することで、これらの切替を制御する。より具体的には、ＬＥＤ群６に電力を供給させるときには、第１スイッチ２２ａをコイル３の下流側と第１ダイオード４ａのアノードが接続するように、第２スイッチをＬＥＤ群６の下流側と誤差増幅器１８の非反転入力端子が接続するように、第３スイッチを第１基準電圧源２０ａと誤差増幅器１８の反転入力端子が接続するように、それぞれ切替える。
【００５０】
また逆に、有機ＥＬ１１に電力を供給させるときには、第１スイッチ２２ａをコイル３の下流側とダイオード４ｂのアノードが接続するように、第２スイッチ２２ｂを抵抗８の下流側と誤差増幅器１８の非反転入力端子が接続するように、第３スイッチ２２ｃを第２基準電圧源２０ｂと誤差増幅器１８の反転入力端子が接続するように、それぞれ切替える。
【００５１】
以上の構成において、ＬＥＤ群６を駆動する場合においては、ＬＥＤ群６に電力を供給するとともに、抵抗７によって、ＬＥＤ群６を流れる電流に応じた電圧（フィードバック電圧）を発生させる。そしてこのフィードバック電圧と、基準電圧回路１９から出力される基準電圧ＶＲＥＦ１との差を、誤差増幅器１８により増幅させる。そして図１４に示すように、その誤差増幅器１８の出力（Ａ）と発振回路１７から出力される三角波発振波形（Ｂ）とを、ＰＷＭコンパレータ１６によりパルス幅変調し、その変調された信号により、ドライブ回路１５を介して出力スイッチングトランジスタ１４を制御する。
【００５２】
出力スイッチングトランジスタ１４がＯＮの時は、コイル３から出力スイッチングトランジスタ１４へと電流が流れることで、コイル３にエネルギーが蓄えられ、この期間では、第１出力コンデンサ５からＬＥＤ群６へ電流が供給される。一方、出力スイッチングトランジスタ１４がＯＦＦの時は、コイル３に蓄えられていたエネルギーが第１ダイオード４ａを介して出力電圧を昇圧し、第１出力コンデンサ５を充電すると共に、ＬＥＤ群６へ電流を供給する。
【００５３】
ＬＥＤ群６に流れる電流（Ｉｏ）は基準電圧ＶＲＥＦ１と抵抗７の抵抗値Ｒ７によって、次式のように表される。
Ｉｏ＝ＶＲＥＦ１/Ｒ７
なお、ＶＲＥＦ１の電圧値については、抵抗７での電力損失を小さくするために低い値（例えば0.1Ｖ）にしておく。これにより、効率よくＬＥＤ群６を駆動させることが可能となる。
【００５４】
また、有機ＥＬ１１の駆動時においては、有機ＥＬ１１に出力電圧を供給するとともに、この出力電圧が、抵抗（８、９）により分圧されて、フィードバックされる。またこのフィードバックされた電圧と基準電圧回路１９から出力される基準電圧ＶＲＥＦ２との差を、誤差増幅器１８により誤差増幅させる。
【００５５】
そして図１４に示すように、その誤差増幅器１８の出力（Ａ）と発振回路１７から出力される三角波発振波形（Ｂ）とを、ＰＷＭコンパレータ１６によりパルス幅変調し、その変調された信号により、ドライブ回路１５を介して出力スイッチングトランジスタ１４を制御する。これにより、出力電圧を一定に保つ。なおＶＲＥＦ２については、チップの製造プロセス等を通じて比較的高い値（例えば１Ｖ）に設定し、ＶＲＥＦ２のバラツキを小さくすることで、有機ＥＬ駆動１１への出力電圧を高精度なものとする。
【００５６】
以上のように、ＬＥＤ群６の駆動時では、抵抗７の電力損失を低減させた高効率での動作により、バッテリの寿命を極力伸ばすことができる。また一方、有機ＥＬ１１の駆動時においては、高精度に出力電圧を供給することが可能となる。
【００５７】
つまり、切替制御部２１によって、ＬＥＤ群６に電力を供給するときと、有機ＥＬに電力を供給するときの何れかに応じて、電力の供給先（負荷）を切替えるスイッチ（第１スイッチ２２ａ）、出力電流または電圧のフィードバック元を切替えるスイッチ（第２スイッチ２２ｂ）、および基準電圧源を切替えるスイッチ（第３スイッチ２２ｃ）の各々が適切に切替えられる。
【００５８】
そのため、電力の生成に必要な装置（直流電源１、入力コンデンサ２、およびコイル３など）や、電力供給を制御するために必要な装置（ドライブ回路１５や出力スイッチングトランジスタ１４など）を、双方の負荷への電力出力において共用化できるものとなっている。また電力供給先の種類に応じて、最適となる基準電圧源（２０ａ、２０ｂ）が異なる場合であっても、スイッチの切替を通じて、常に最適な基準電圧源を採用することが可能となっている。
【００５９】
なお、切替制御部２１により切替信号を出力させるタイミング、すなわち、電力供給先を切替えるタイミングは、例えば、ある一定の周期となるようにしたり、外部からの指示があったときとしたりする等、種々のパターンが採用可能である。
【００６０】
以上のように、本実施例の電源回路は、ＬＥＤ群６および有機ＥＬ１１が接続され、これらの負荷に電力を供給するチョッパレギュレータ式の電源回路である。また電源回路は、これらの負荷に電力を出力する装置（直流電源１やコイル３など）、ＬＥＤ群６に出力される電流を検出電圧として検出する装置（抵抗７など）、有機ＥＬ１１に出力される電圧を検出電圧として検出する装置（抵抗８、９など）を備えている。
【００６１】
また電源装置は、それぞれ基準電圧ＶＲＥＦ１とＶＲＥＦ２を生成させる、第１基準電圧源２０ａ、第２基準電圧源２０ｂや、２つの入力電圧を比較し、この比較結果に基づいて電力の出力量を制御する装置（ドライブ回路１５、ＰＷＭコンパレータ１６、誤差増幅器１８など）を備えている。
【００６２】
また、ＬＥＤ群６と有機ＥＬ１１の何れに電力を供給するかを切替可能とする第１スイッチ２２ａ、および、誤差増幅器１８へ入力される電圧の切替を可能とする第２および第３スイッチ（２２ｂ、２２ｃ）を備えている。なお、第１基準電圧源２０ａに係る基準電圧ＶＲＥＦ１は、第２基準電圧源２０ｂに係る基準電圧ＶＲＥＦ２よりも小さいものとするのが好ましいが、これには限定されない。
【００６３】
［実施例２］
次に本発明の実施例２について、同じく電源回路を挙げて説明する。なお本実施例は、遅延回路を更に備えた点を除いては、基本的に実施例１と同様の構成であるため、重複した説明を省略する。
【００６４】
本実施例の電源回路の構成図を、図２に示す。本図のように、昇圧チョッパレギュレータＩＣ３１においては、切替制御部２１と第１スイッチ２２ａとの間に、遅延回路２３が備えられている。遅延回路２３は、切替制御部２１が第１スイッチ２２ａの切替を制御するために出力する切替信号を、所定時間だけ遅延させてから、第１スイッチ２２ａに出力する。
【００６５】
このような遅延回路２３が備えられていることにより、切替制御部２１が、第１スイッチから第３スイッチの各々（２２ａ〜２２ｃ）を切替えるための切替信号を、それぞれ同時に出力するものであっても、第１スイッチ２２ａへ切替信号が供給されるタイミングを、他のスイッチ（２２ｂ、２２ｃ）へ供給されるタイミングよりも遅延させることが可能となっている。
【００６６】
そのため、切替制御部２１における制御内容を複雑化させることなく、電力供給先の切替（負荷切替）に先立って、フィードバックさせる電圧の供給元、および基準電圧源（２０ａ、２０ｂ）の切替（入力切替）を、適切に実行しておくことができるようになっている。その結果、フィードバックさせる電圧の供給元や基準電圧源（２０ａ、２０ｂ）が、正しく設定されていない状態（準備ができていない状態）で電力供給が開始されると、電力供給の制御が不安定となるおそれがあるところ、本実施例では、このような事態を極力回避することが可能となっている。
【００６７】
［実施例３］
次に本発明の実施例３について、同じく電源回路を挙げて説明する。なお本実施例は、基準電圧回路の構成を除いては、基本的に実施例１と同様の構成であるため、重複した説明を省略する。
【００６８】
本実施例の電源回路の構成図を、図３に示す。本図のように、基準電圧回路１９は、基準電圧源２０、抵抗素子３８、抵抗素子３９、および第３スイッチ２２ｃなどを備えている。
【００６９】
基準電圧源２０は、所定の基準電圧ＶＲＥＦを発生させるものであり、負極側が接地されている。また正極側は、抵抗素子３８の一端と、第３スイッチ２２ｃの一端に接続されている。また抵抗素子３８の他端は、抵抗素子３９を介して接地されている。また抵抗素子３８と３９との間には、第３スイッチ２２ｃの他端、および、誤差増幅器１８の反転入力端子が接続されている。また第３スイッチ２２ｃは、切替制御部２１からの切替信号に応じて、その両端の接続／非接続を切替える。
【００７０】
このような構成により本実施例では、第３スイッチ２２ｃを開いているときには、基準電圧ＶＲＥＦが各抵抗素子（３８、３９）によって分圧された電圧が、誤差増幅器１８の反転入力端子に入力される。また逆に、第３スイッチ２２ｃを閉じているときには、基準電圧ＶＲＥＦが、ほぼそのまま、誤差増幅器１８の反転入力端子に入力される。つまり、第３スイッチ２２ｃの切替を通じて、誤差増幅器１８の反転入力端子に入力される基準電圧を変更する（異なる基準電圧を発生させる）ことが可能となっている。
【００７１】
そのため、この基準電圧ＶＲＥＦとＶＲＥＦが分圧された電圧とを、実施例１でのＶＲＥＦ２とＶＲＥＦ１に相当させるようにすることで、基準電圧回路１９における基準電圧源の個数を減らしつつ（電圧源を共有化しつつ）、実施例１の場合と同等の作用を得ることが可能となる。なお電圧源の個数を削減することで、製品の製造コスト削減や小型化の実現が容易となる。
【００７２】
［実施例４］
次に本発明の実施例４について、同じく電源回路を挙げて説明する。なお本実施例は、負荷への電力供給処理において同期整流方式を採用した点などを除いては、基本的に実施例１と同様の構成であるため、重複した説明を省略する。
【００７３】
本実施例の電源回路の構成図を、図４に示す。本図のように電源回路は、第１整流用ＦＥＴ４０ａ、第２整流用ＦＥＴ４０ｂ、および第４スイッチ２２ｄを備えている。第１整流用ＦＥＴ４０ａおよび第２整流用ＦＥＴ４０ｂは、同期整流動作を実現するために、それぞれ実施例１における第１ダイオード４ａおよび第２ダイオード４ｂの代わりに備えられている。
【００７４】
より具体的には、第１整流用ＦＥＴ４０ａは、第１スイッチ２２ａの下流側の一端子とＬＥＤ群６の上流側が、それぞれソースとドレインに接続されている。またゲートは、第４スイッチ２２ｄの下流側の一端子に接続されている。また第２整流用ＦＥＴ４０ｂは、第１スイッチ２２ａの下流側の他の端子と有機ＥＬ１１の上流側が、それぞれソースとドレインに接続されている。またゲートは、第４スイッチの下流側の他の端子に接続されている。
【００７５】
第４スイッチ２２ｄは、先述のように下流側の２端子に、第１整流用ＦＥＴ４０ａと第２整流用ＦＥＴ４０ｂが接続されている一方、上流側の端子に、ドライブ回路１５が接続されている。これにより切替制御部２１からの切替信号に応じて、ドライブ回路１５を、第１整流用ＦＥＴ４０ａまたは第２整流用ＦＥＴ４０ｂのゲートに、切替可能に接続する。
【００７６】
またドライブ回路１５は、実施例１の場合と同様に出力スイッチングトランジスタ１４の制御を行う一方、第４スイッチ２２ｄを介して、第１整流用ＦＥＴ４０ａまたは第２整流用ＦＥＴ４０ｂに対しては、同期整流動作を実行するように、信号を出力する。なお、同期整流方式自体は公知技術であるため、その詳細な説明は省略する。
【００７７】
また切替制御部２１は、第１から第３スイッチ（２２ａ〜２２ｃ）に加え、第４スイッチの切替をも制御する。より具体的には、ＬＥＤ群６に電力を供給させるときには、第１スイッチ２２ａをコイル３の下流側と第１整流用ＦＥＴ４０ａが接続するように、第２スイッチ２２ｂをＬＥＤ群６の下流側と誤差増幅器１８の非反転入力端子が接続するように、第３スイッチ２２ｃを第１基準電圧源２０ａと誤差増幅器１８の反転入力端子が接続するように、第４スイッチ２２ｄをドライブ回路１５と第１整流用ＦＥＴが接続するように、それぞれ切替える。
【００７８】
また逆に、有機ＥＬ１１に電力を供給させるときには、第１スイッチ２２ａをコイル３の下流側と第２整流用ＦＥＴ４０ｂが接続するように、第２スイッチ２２ｂを抵抗８の下流側と誤差増幅器１８の非反転入力端子が接続するように、第３スイッチ２２ｃを第２基準電圧源２０ｂと誤差増幅器１８の反転入力端子が接続するように、第４スイッチ２２ｄをドライブ回路１５と第２整流用ＦＥＴ４０ｂが接続するように、それぞれ切替える。
【００７９】
以上の構成により本実施例の電源回路は、ＬＥＤ群６もしくは有機ＥＬ１１への電力供給処理において、同期整流方式を適用することが可能となっている。その結果、整流処理においては、フライホイールダイオードに比べて、より順方向電圧（ソース−ドレイン間の電圧）の小さい整流用ＦＥＴが用いられ、負荷への電力供給の効率をより向上させることが可能となっている。
【００８０】
［実施例５］
次に本発明の実施例５について、同じく電源回路を挙げて説明する。なお本実施例は、切替制御部２１の動作が、外部信号によって制御されるようにした点を除いては、基本的に実施例１と同様の構成であるため、重複した説明を省略する。
【００８１】
本実施例の電源回路の構成図を、図５に示す。本図のように、電源回路に備えられている昇圧チョッパレギュレータＩＣ３１には、外部からの信号（外部信号）が入力されるためのＣＯＮＴ端子が備えられている。このＣＯＮＴ端子は、切替制御部２１に通じており、外部信号によって、切替制御部２１の動作を制御できるようになっている。
【００８２】
具体的には、例えば、外部信号がハイレベルであるときには、ＬＥＤ群６に電力を供給する状態に各スイッチ（２２ａ〜２２ｃ）を切替させ（負荷切替および入力切替を実行させ）、逆にローレベルであるときには、有機ＥＬ１１に電力を供給する状態に各スイッチ（２２ａ〜２２ｃ）を切替させるように（負荷切替および入力切替を実行させるように）、切替制御部２１の動作が制御される。
【００８３】
このような構成により、電源回路の外部から、切替制御部２１の動作を制御することができる。そのため、ＬＥＤ群６および有機ＥＬ１１の何れに電力を供給するかについて、外部から指示を与えることが容易となる。
【００８４】
［実施例６］
次に本発明の実施例６について、同じく電源回路を挙げて説明する。なお本実施例は、出力電圧検出回路およびその周辺に関する構成などを除いては、基本的に実施例５と同様の構成であるため、重複した説明を省く。
【００８５】
本実施例の電源回路の構成図を、図６に示す。本電源回路での昇圧チョッパレギュレータＩＣ３１には、出力電圧検出回路２４が備えられており、その入力側には、第１ダイオード４ａおよび第２ダイオード４ｂのカソード側が接続されおり、同じく出力側には、切替制御部２１が接続されている。これにより出力電圧検出回路２４は、ＬＥＤ群６および有機ＥＬ１１に出力される出力電圧を検出し、その結果を切替制御部２１に伝送する。
【００８６】
一方、切替制御部２１は、電力供給先（ＬＥＤ群６、有機ＥＬ１１）を切替える際に、出力電圧検出回路２４による検出結果にも基づいて、切替の制御を実行する。より具体的には、一方の負荷に電力を供給している状態から、他方の負荷に電力を供給するように切替えようとする場合、当該一方の負荷（切替前の負荷）に係る出力電圧が十分に小さくなった後（所定値以下となった後）に、当該他方の負荷に電力を供給するよう切替えることとする。
【００８７】
このような構成によれば、電力供給先となる負荷を切替える際に、双方の負荷に対して同時に電力が供給されるといったことを、容易に防止することが可能となる。
【００８８】
［実施例７］
次に本発明の実施例７について、同じく電源回路を挙げて説明する。なお本実施例は、放電用スイッチおよびその周辺に関する構成などを除いては、基本的に実施例６と同様の構成であるため、重複した説明を省く。
【００８９】
本実施例の電源回路の構成図を、図７に示す。本電源回路での昇圧チョッパレギュレータＩＣ３１には、第１放電スイッチ２５ａ、および第２放電スイッチ２５ｂが備えられている。第１放電スイッチ２５ａは、第１ダイオード４ａのカソード側と接地点との接続／非接続を切替えることができるように配置されている。一方、第２放電スイッチ２５ｂは、第２ダイオード４ｂのカソード側と接地点との接続／非接続を切替えることができるように配置されている。
【００９０】
このような構成により、第１放電スイッチ２５ａを接続状態とすることで、ＬＥＤ群６に対する出力電圧を素早く低下させることが可能となる。また第２放電スイッチ２５ｂを接続状態とすることで、有機ＥＬ１１に対する出力電圧を素早く低下させることが可能となる。またこれらの放電スイッチの切替は、切替制御部２１が出力する切替信号により制御される。ここで放電スイッチの切替制御に関する一連の処理について、図１２のフローチャートを参照しながら説明する。
【００９１】
切替制御部２１は、ＣＯＮＴ端子を介して外部から入力される、電力供給先の切替指示に係る外部信号（指示信号）の有無を監視している（ステップＳ１１）。ここで、切替前の電力供給先を負荷Ａ、切替後の電力供給先を負荷Ｂとする。そして指示信号があった場合には（ステップＳ１１のＹ）、負荷Ａに係る放電スイッチを接続状態とするように、制御信号を出力する（ステップＳ１２）。
【００９２】
その後、切替制御部は、負荷Ａに出力されている出力電圧が所定値以下となったか否かを、出力電圧検出回路２４を通じて監視する（ステップＳ１３）。そしてこの出力電圧が所定値以下となった場合には（ステップＳ１３のＹ）、負荷Ｂに係る放電スイッチを非接続状態とするとともに（ステップＳ１４）、第１〜第３スイッチ（２２ａ〜２２ｃ）の切替を通じて、電力供給先を負荷Ｂに切り替えることとする（ステップＳ１５）。
【００９３】
以上に説明した処理が実行されることにより、電力供給先を切替えるにあたっては、切替前の電力供給先に係る出力電圧を素早く低下させることが可能となっている。また、切替処理の実行のタイミングを、切替前の電力供給先に係る出力電圧が十分に低下した後（所定値以下となったとき）とすることが可能となっている。
【００９４】
［実施例８］
次に本発明の実施例８について、同じく電源回路を挙げて説明する。なお本実施例は、外部信号の取得部や切替制御部の制御内容などを除いては、基本的に実施例５と同様の構成であるため、重複した説明を省く。
【００９５】
本実施例の電源回路の構成図を、図８に示す。本電源回路での昇圧チョッパレギュレータＩＣ３１には、外部信号を取得するための端子として、ＣＯＮＴ１とＣＯＮＴ２の２つが備えられている。これらの端子は、何れも、切替制御部２１に接続されている。
【００９６】
そして切替制御部２１は、端子ＣＯＮＴ１にＨレベルの信号が入力され、かつ、端子ＣＯＮＴ２にＨレベルの信号が入力されたときは、電力供給先をＬＥＤ群６とするように各スイッチ（２２ａ〜２２ｃ）を切替える。また、端子ＣＯＮＴ１にＬレベルの信号が入力され、かつ、端子ＣＯＮＴ２にＨレベルの信号が入力されたときは、電力供給先を有機ＥＬ１１とするように各スイッチ（２２ａ〜２２ｃ）を切替える。また端子ＣＯＮＴ２にＬレベルの信号が入力されたときは、双方の負荷に対しての電源供給をＯＦＦ状態とする。
【００９７】
つまり端子ＣＯＮＴ１に入力される信号は、電力供給先の切替えに用いられ、端子ＣＯＮＴ２に入力される信号は、電力供給のＯＮ／ＯＦＦの切替えに用いられる。このように、電力供給先の切替に係る外部信号を切替制御部２１に入力するための端子と、電力供給におけるＯＮ／ＯＦＦの切替に係る外部信号を切替制御部２１に入力するための端子を別個に設けておくことで、外部から切替制御部２１に対して行われる信号入力を、より簡易なものとすることが可能となる。
【００９８】
なお、双方の負荷に対しての電源供給をＯＦＦ状態とする処理としては、例えば、第１スイッチ２２ａを、入力側が何れの出力側とも非接続とできるようにしておき、切替制御部２１によって、この非接続状態が実現されるように第１スイッチ２２ａを制御させればよい。
【００９９】
［実施例９］
次に本発明の実施例９について、同じく電源回路を挙げて説明する。なお本実施例は、ＯＮ／ＯＦＦ回路を備えた点などを除いては、基本的に実施例８と同様の構成であるため、重複した説明を省く。
【０１００】
本実施例の電源回路の構成図を、図９に示す。本図に示すように、電源回路での昇圧チョッパレギュレータＩＣ３１には、ＯＮ／ＯＦＦ回路２６が設けられている。このＯＮ／ＯＦＦ回路２６の入力側には、切替制御部２１に外部信号を入力するための端子ＣＯＮＴ１およびＣＯＮＴ２が、接続されている。すなわち、端子ＣＯＮＴ１もしくはＣＯＮＴ２に入力された外部信号は、切替制御部２１だけでなく、ＯＮ／ＯＦＦ回路２６にも入力されることとなる。
【０１０１】
そしてＯＮ／ＯＦＦ回路２６は、端子ＣＯＮＴ２に（或いは端子ＣＯＮＴ１とＣＯＮＴ２の双方に）Ｌレベルの信号が入力された場合（ＬＥＤ群および有機ＥＬの、何れの負荷にも電力供給をＯＦＦとする場合）には、定電圧回路１３による制御回路１２への駆動電圧の供給を遮断する。これにより、何れの負荷に対しても電力供給を停止させる場合には、制御回路１２への駆動電圧の供給も停止させることが可能となり、無駄な電力の消費をより小さく抑えることができる。
【０１０２】
［実施例１０］
次に本発明の実施例１０について、同じく電源回路を挙げて説明する。なお本実施例は、電圧異常検出回路を備えた点などを除いては、基本的に実施例５と同様の構成であるため、重複した説明を省く。
【０１０３】
本実施例の電源回路の構成図を、図１０に示す。本図に示すように、電源回路での昇圧チョッパレギュレータＩＣ３１には、電圧異常検出回路２７が設けられている。この電圧異常検出回路２７は、入力側が、誤差増幅器１８の非反転入力端子に接続されている。これにより、ＬＥＤ群６もしくは有機ＥＬ１１からフィードバックされる電圧（フィードバック電圧）を検出することができるようになっている。
【０１０４】
そして電圧異常検出回路２７は、検出されたフィードバック電圧が所定の基準値よりも大きいか否かを判断し、大きい場合にはショート等の異常が生じているとみなして、各負荷への電力供給を停止させる。より具体的には、ドライブ回路１５に対して、出力スイッチングトランジスタ１４の動作を行わせないようにするための信号を出力する。
【０１０５】
また切替制御部２１に対して、第１スイッチ２２ａを適切に切替えるようにするための信号を出力し、現在の異常状態を解消することとする。より具体的には、予め第１スイッチ２２ａを、入力側が何れの出力側とも非接続とできるようにしておく。そして、切替制御部２１によって、この非接続状態が実現されるように第１スイッチ２２ａを制御させればよい。
【０１０６】
このような構成によれば、例えば負荷におけるショート等の異常が生じた場合であっても、過電圧による装置の損傷などを極力未然に防ぐことが可能となる。
【０１０７】
［実施例１１］
次に本発明の実施例１１について、同じく電源回路を挙げて説明する。なお本実施例は、過熱保護回路を備えた点などを除いては、基本的に実施例５と同様の構成であるため、重複した説明を省く。
【０１０８】
本実施例の電源回路の構成図を、図１１に示す。本図に示すように、電源回路での昇圧チョッパレギュレータＩＣ３１には、過熱保護回路２８が設けられている。この過熱保護回路２８には温度センサが設けられており、昇圧チョッパレギュレータＩＣ３１自体、もしくはそのごく近傍における温度を検出することが可能となっている。
【０１０９】
そして過熱保護回路２８は、検出温度が所定値以上となっているか否かを判断し、所定値以上となっている場合には、ショート等の異常が生じているとみなして、各負荷への電力供給を停止させる。より具体的には、ドライブ回路１５に対して、出力スイッチングトランジスタ１４の動作を行わせないようにするための信号を出力する。
【０１１０】
また切替制御部２１に対して、第１スイッチ２２ａを適切に切替えるようにするための信号を出力し、現在の異常状態を解消することとする。より具体的には、予め第１スイッチ２２ａを、入力側が何れの出力側とも非接続とできるようにしておく。そして、切替制御部２１によって、この非接続状態が実現されるように第１スイッチ２２ａを制御させればよい。
【０１１１】
このような構成によれば、例えば負荷におけるショート等の異常が生じた場合であっても、過度な発熱による装置の損傷などを極力未然に防ぐことが可能となる。
【０１１２】
［まとめ］
以上に本発明の各実施例について説明したが、本発明はこれらに限定されるものではなく、本発明の主旨を逸脱しない限り、種々の改変を加えることが可能である。また、各実施例における技術内容は、矛盾の無い限り、任意に組み合わせて適用することが可能である。
【産業上の利用可能性】
【０１１３】
本発明は、ＬＥＤ等に電力を供給するチョッパレギュレータにおいて有用である。
【図面の簡単な説明】
【０１１４】
【図１】本発明の実施例１に係る電源回路の構成図である。
【図２】本発明の実施例２に係る電源回路の構成図である。
【図３】本発明の実施例３に係る電源回路の構成図である。
【図４】本発明の実施例４に係る電源回路の構成図である。
【図５】本発明の実施例５に係る電源回路の構成図である。
【図６】本発明の実施例６に係る電源回路の構成図である。
【図７】本発明の実施例７に係る電源回路の構成図である。
【図８】本発明の実施例８に係る電源回路の構成図である。
【図９】本発明の実施例９に係る電源回路の構成図である。
【図１０】本発明の実施例１０に係る電源回路の構成図である。
【図１１】本発明の実施例１１に係る電源回路の構成図である。
【図１２】本発明の実施例７における切替制御に関する処理の流れ図である。
【図１３】従来の電源回路の一例に係る構成図である。
【図１４】ＰＷＭ信号の生成過程を説明するための説明図である。
【符号の説明】
【０１１５】
１    直流電源
２    入力コンデンサ
３    コイル
４    ダイオード
４ａ  第１ダイオード
４ｂ  第２ダイオード
５    第１出力コンデンサ
６    ＬＥＤ群
７、８、９    抵抗素子
１０    第２出力コンデンサ
１１    有機ＥＬ
１３    定電圧回路
１４    出力スイッチングトランジスタ
１５    ドライブ回路
１６    ＰＷＭコンパレータ
１７    発振回路
１８    誤差増幅器
１９    基準電圧回路
２０    基準電圧源
２０ａ  第１基準電圧源
２０ｂ  第２基準電圧源
２１    切替制御部
２２ａ  第１スイッチ
２２ｂ  第２スイッチ
２２ｃ  第３スイッチ
２２ｄ  第４スイッチ
２３    遅延回路
２４    出力電圧検出回路
２５ａ  第１放電スイッチ
２５ｂ  第２放電スイッチ
２６    ＯＮ／ＯＦＦ回路
２７    電圧異常検出回路
２８    過熱保護回路
３１    昇圧チョッパレギュレータＩＣ
３８、３９    分圧用抵抗素子
４０ａ  第１整流用ＦＥＴ
４０ｂ  第２整流用ＦＥＴ
【図１】
2008160933.tif 000003
【図２】
2008160933.tif 000004
【図３】
2008160933.tif 000005
【図４】
2008160933.tif 000006
【図５】
2008160933.tif 000007
【図６】
2008160933.tif 000008
【図７】
2008160933.tif 000009
【図８】
2008160933.tif 000010
【図９】
2008160933.tif 000011
【図１０】
2008160933.tif 000012
【図１１】
2008160933.tif 000013
【図１２】
2008160933.tif 000014
【図１３】
2008160933.tif 000015
【図１４】
2008160933.tif 000016